(57)【要約】【課題】  教育機関が学生の就職活動状況を把握するためのサービスを提供することができる就職活動情報管理支援サーバ、就職活動情報管理支援方法及びそのプログラムを提供する。【解決手段】  学生情報ＤＢ・２ａは、学生の所属する学校を特定する情報と、学生の就職活動の予定に関する情報と、学生の就職活動の履歴情報とを格納する。情報要求受付部１６は、学校側の端末から、自校の学生の就職活動に関する情報の要求を受信する。情報検索処理部１７は、学生情報ＤＢ・２ａから情報要求受付部１６が受信した要求に応じた情報を検索する。検索情報処理部１８は、情報検索処理部１７が検索した情報を基に、情報要求受付部１６が受信した要求に応じた学生の就職活動状況を示す第１のデータを生成する。結果表示処理部１９は、検索情報処理部１８が生成した第１のデータを基に、学校側の端末に表示可能な第２のデータを生成して学校側の端末へ送信する。【選択図】  図２
2006344148.tif 000002
【特許請求の範囲】
【請求項１】
ネットワークに接続可能な第１の端末へ就職活動情報を提供する就職活動情報管理支援サーバであって、
前記第１の端末の利用者である就職希望者に関する情報として、前記就職希望者の所属する教育機関を特定する情報と、前記就職希望者の就職活動の予定に関する情報と、前記就職希望者の就職活動の履歴情報とを少なくとも格納する就職希望者情報データベースと、
前記教育機関の有する端末であってネットワークに接続可能な第２の端末から、前記教育機関に所属する就職希望者の就職活動に関する情報の要求を受信する情報要求受信手段と、
前記就職希望者情報データベースから前記情報要求受信手段が受信した前記要求に応じた情報を検索する情報検索手段と、
前記情報検索手段が検索した情報を基に、前記情報要求受信手段が受信した前記要求に応じた前記教育機関に所属する就職希望者の就職活動状況を示す第１のデータを生成する情報処理手段と、
前記情報処理手段が生成した前記第１のデータを基に、前記第２の端末に表示可能な第２のデータを生成して前記第２の端末へ送信する表示処理手段と
を具備することを特徴とする就職活動情報管理支援サーバ。
【請求項２】
前記教育機関に所属する就職希望者の就職活動に関する情報の内容を指定可能な情報指定画面を前記第２の端末に表示させる情報指定画面処理手段を更に具備し、
前記受信手段は、前記情報指定画面において前記第２の端末の利用者が指定した内容を含む要求を受信すること
を特徴とする請求項１に記載の就職活動情報管理支援サーバ。
【請求項３】
前記情報指定画面において前記第２の端末の利用者が指定可能な内容は、前記就職希望者情報データベースに格納している情報に関する内容であることを特徴とする請求項１又は２に記載の就職活動情報管理支援サーバ。
【請求項４】
採用に関する情報である採用情報を格納する採用情報データベースを更に具備し、
前記情報検索手段は、前記採用情報データベースから前記情報要求受信手段が受信した前記要求に応じた情報を更に検索することを特徴とする請求項１〜３のいずれか１項に記載の就職活動情報管理支援サーバ。
【請求項５】
前記情報指定画面において前記第２の端末の利用者が指定可能な内容は、前記採用情報データベースに格納している情報に関する内容を更に含むことを特徴とする請求項４に記載の就職活動情報管理支援サーバ。
【請求項６】
前記就職希望者情報データベースは、前記就職希望者が自身に関する情報の利用制限を設定した利用制限情報を更に格納し、
前記情報検索手段による検索処理及び前記情報処理手段による情報処理を、前記利用制限情報を基に制御する利用制限手段を更に具備することを特徴とする請求項１〜５のいずれか１項に記載の就職活動情報管理支援サーバ。
【請求項７】
ネットワークに接続可能な第１の端末へ就職活動情報を提供する就職活動情報管理支援サーバを用いた就職活動情報管理支援方法であって、
前記教育機関の有する端末であってネットワークに接続可能な第２の端末から、前記教育機関に所属する就職希望者の就職活動に関する情報の要求を前記就職活動情報管理支援サーバの受信手段で受信する情報要求受信ステップと、
前記第１の端末の利用者である就職希望者に関する情報として、前記就職希望者の所属する教育機関を特定する情報と、前記就職希望者の就職活動の予定に関する情報と、前記就職希望者の就職活動の履歴情報とを少なくとも格納する就職希望者情報データベースから、前記情報要求受信ステップで受信した前記要求に応じた情報を前記就職活動情報管理支援サーバの検索手段で検索する情報検索ステップと、
前記情報検索ステップで検索した情報を基に、前記情報要求受信ステップで受信した前記要求に応じた前記教育機関に所属する就職希望者の就職活動状況を示す第１のデータを前記就職活動情報管理支援サーバの中央処理手段で生成する情報処理ステップと、
前記情報処理ステップで生成した前記第１のデータを基に、前記第２の端末に表示可能な第２のデータを前記中央処理手段で生成して前記第２の端末へ送信する表示処理ステップと
を有することを特徴とする就職活動情報管理支援方法。
【請求項８】
ネットワークに接続可能な第１の端末へ就職活動情報を提供する就職活動情報管理支援サーバ用のプログラムであって、
前記教育機関の有する端末であってネットワークに接続可能な第２の端末から、前記教育機関に所属する就職希望者の就職活動に関する情報の要求を受信する情報要求受信ステップと、
前記第１の端末の利用者である就職希望者に関する情報として、前記就職希望者の所属する教育機関を特定する情報と、前記就職希望者の就職活動の予定に関する情報と、前記就職希望者の就職活動の履歴情報とを少なくとも格納する就職希望者情報データベースから、前記情報要求受信ステップで受信した前記要求に応じた情報を検索する情報検索ステップと、
前記情報検索ステップで検索した情報を基に、前記情報要求受信ステップで受信した前記要求に応じた前記教育機関に所属する就職希望者の就職活動状況を示す第１のデータを生成する情報処理ステップと、
前記情報処理ステップで生成した前記第１のデータを基に、前記第２の端末に表示可能な第２のデータを生成して前記第２の端末へ送信する表示処理ステップと
をコンピュータに実行させるためのプログラム。
【発明の詳細な説明】
【技術分野】
【０００１】
本発明は、教育機関が学生の就職活動状況を把握するためのサービスを提供する就職活動情報管理支援サーバ、就職活動情報管理支援方法及びそのプログラムに関するものである。
【背景技術】
【０００２】
近年、少子化に伴って学生数が減る中、教育機関である学校（主に大学や専門学校など）では、いかに自校を魅力的に見せて、多くの入学希望者を獲得するかが課題となってきている。入学先を検討する者からすれば、学校選択の際に考慮する項目の１つとして、その学校の卒業生の就職率や就職先に関する情報があげられる。
【０００３】
そこで、学校側が自校学生の就職活動を優位にするよう支援する仕組みが考えられ、開示されている（例えば、特許文献１参照。）。特許文献１では、学校が推薦すべき自校学生の情報を公開するためのウェッブサーバを開設して、外部に積極的に就職活動を働きかけるものである。これにより出来るだけ自校学生を良い就職先に導けるというものである。
【０００４】
しかしながら、学生の就職率や就職先は、一部の学校推薦等を除いては多くの部分は学生自らがコントロールするものであり、学校側としては結果をあとから知るだけである。特に近年では学生は、インターネット上で就職情報や各種手続きを仲介する会員登録制の就職情報サイトを利用して、学校とは関係なく個人的に就職活動の情報を管理することが多くなってきている。
【０００５】
ところで、就職率や就職先を左右する要因の一つは、学生の就職活動の開始時期にある。つまり、早い時期から就職活動開始すればそれだけ採用枠に余裕があり、多くの企業の中から就職先を選択しやすくなる。逆に就職活動のピーク時を過ぎてしまうと、既に採用枠に達してしまった企業からの求人が無くなったり、採用枠が残っていたとしても、少数の採用枠のため競争倍率が上がったりなど、内定取得を目指す学生には厳しい状況となる。
【０００６】
そこで、学生の就職活動のスケジュールを管理するための仕組みが考案されている（例えば、特許文献２参照。）。この特許文献２では、学生宛に送信されてくる電子メールに記載された情報に基づき、その学生が望む就職先への就職活動を優先的にスケジューリングするものである。
【０００７】
【特許文献１】特開２００２−４１６９９号公報
【特許文献２】特開２００２−１３２９８１号公報
【発明の開示】
【発明が解決しようとする課題】
【０００８】
しかしながら、上述した特許文献１及び２では、以下の課題が依然として残っている。
特許文献１では、学校側が自校学生の就職活動に対して働きかけを行っているものの、上述したように、学生の就職活動に関する情報は、学生がコントロールしているため、学生自ら学校側に報告しない限り、学校側では学生の就職活動状況を把握できないという問題がある。これにより、特許文献１の仕組みを利用したとしても、例えば、世の中では既に就職活動のピークを過ぎているにも関わらず、自校の学生の大半が就職活動を開始していない状態であることに学校側が気付かなかったり、他校の学生と比べてどの程度成果（内定など）を得ているかを把握できなかったりする。このように、就職活動状況を把握できなければ学校側としても、学生に対して就職活動における適切な支援を行うことができない。
【０００９】
また、特許文献２では、サーバ側で個人のスケジュール管理を行っているが、サーバから学校側への情報提供はなく、やはり学校側が自校学生の就職活動状況を把握することができない。
【００１０】
本発明は、上述した事情を考慮してなされたもので、教育機関が学生の就職活動状況を把握するためのサービスを提供することができる就職活動情報管理支援サーバ、就職活動情報管理支援方法及びそのプログラムを提供することを目的とする。
【課題を解決するための手段】
【００１１】
この発明は、上述した課題を解決すべくなされたもので、本発明による就職活動情報管理支援サーバにおいては、ネットワークに接続可能な第１の端末へ就職活動情報を提供する就職活動情報管理支援サーバであって、第１の端末の利用者である就職希望者に関する情報として、就職希望者の所属する教育機関を特定する情報と、就職希望者の就職活動の予定に関する情報と、就職希望者の就職活動の履歴情報とを少なくとも格納する就職希望者情報データベースと、教育機関の有する端末であってネットワークに接続可能な第２の端末から、教育機関に所属する就職希望者の就職活動に関する情報の要求を受信する情報要求受信手段と、就職希望者情報データベースから情報要求受信手段が受信した要求に応じた情報を検索する情報検索手段と、情報検索手段が検索した情報を基に、情報要求受信手段が受信した要求に応じた教育機関に所属する就職希望者の就職活動状況を示す第１のデータを生成する情報処理手段と、情報処理手段が生成した第１のデータを基に、第２の端末に表示可能な第２のデータを生成して第２の端末へ送信する表示処理手段とを具備することを特徴とする。
【００１２】
これにより、教育機関の有する第２の端末は、当該教育機関の学生の就職活動状況の情報を含む第２のデータを受信して、表示することができ、教育機関側で自機関に属する学生の就職活動状況について把握することができる。
【００１３】
また、本発明による就職活動情報管理支援サーバの一態様例においては、教育機関に所属する就職希望者の就職活動に関する情報の内容を指定可能な情報指定画面を第２の端末に表示させる情報指定画面処理手段を更に具備し、上記受信手段は、情報指定画面において第２の端末の利用者が指定した内容を含む要求を受信することを特徴とする。
【００１４】
また、本発明による就職活動情報管理支援サーバの一態様例においては、上記情報指定画面において第２の端末の利用者が指定可能な内容は、就職希望者情報データベースに格納している情報に関する内容であることを特徴とする。
【００１５】
また、本発明による就職活動情報管理支援サーバの一態様例においては、採用に関する情報である採用情報を格納する採用情報データベースを更に具備し、上記情報検索手段は、採用情報データベースから情報要求受信手段が受信した要求に応じた情報を更に検索することを特徴とする。
【００１６】
また、本発明による就職活動情報管理支援サーバの一態様例においては、上記情報指定画面において第２の端末の利用者が指定可能な内容は、採用情報データベースに格納している情報に関する内容を更に含むことを特徴とする。
【００１７】
また、本発明による就職活動情報管理支援サーバの一態様例においては、上記就職希望者情報データベースは、就職希望者が自身に関する情報の利用制限を設定した利用制限情報を更に格納し、情報検索手段による検索処理及び情報処理手段による情報処理を、利用制限情報を基に制御する利用制限手段を更に具備することを特徴とする。
【００１８】
また、本発明による就職活動情報管理支援方法においては、ネットワークに接続可能な第１の端末へ就職活動情報を提供する就職活動情報管理支援サーバを用いた就職活動情報管理支援方法であって、教育機関の有する端末であってネットワークに接続可能な第２の端末から、教育機関に所属する就職希望者の就職活動に関する情報の要求を前記就職活動情報管理支援サーバの受信手段で受信する情報要求受信ステップと、第１の端末の利用者である就職希望者に関する情報として、就職希望者の所属する教育機関を特定する情報と、就職希望者の就職活動の予定に関する情報と、就職希望者の就職活動の履歴情報とを少なくとも格納する就職希望者情報データベースから、情報要求受信ステップで受信した要求に応じた情報を前記就職活動情報管理支援サーバの検索手段で検索する情報検索ステップと、情報検索ステップで検索した情報を基に、情報要求受信ステップで受信した要求に応じた教育機関に所属する就職希望者の就職活動状況を示す第１のデータを前記就職活動情報管理支援サーバの中央処理手段で生成する情報処理ステップと、情報処理ステップで生成した第１のデータを基に、第２の端末に表示可能な第２のデータを前記中央処理手段で生成して第２の端末へ送信する表示処理ステップとを有することを特徴とする。
【００１９】
また、本発明によるプログラムは、ネットワークに接続可能な第１の端末へ就職活動情報を提供する就職活動情報管理支援サーバ用のプログラムであって、教育機関の有する端末であってネットワークに接続可能な第２の端末から、教育機関に所属する就職希望者の就職活動に関する情報の要求を受信する情報要求受信ステップと、第１の端末の利用者である就職希望者に関する情報として、就職希望者の所属する教育機関を特定する情報と、就職希望者の就職活動の予定に関する情報と、就職希望者の就職活動の履歴情報とを少なくとも格納する就職希望者情報データベースから、情報要求受信ステップで受信した要求に応じた情報を検索する情報検索ステップと、情報検索ステップで検索した情報を基に、情報要求受信ステップで受信した要求に応じた教育機関に所属する就職希望者の就職活動状況を示す第１のデータを生成する情報処理ステップと、情報処理ステップで生成した第１のデータを基に、第２の端末に表示可能な第２のデータを生成して第２の端末へ送信する表示処理ステップとをコンピュータに実行させるためのプログラムである。
【発明の効果】
【００２０】
本発明による就職活動情報管理支援サーバ、就職活動情報管理支援方法及びそのプログラムによれば、教育機関が学生の就職活動状況を把握するためのサービスを提供することができる。
【発明を実施するための最良の形態】
【００２１】
以下、本発明の実施の形態を説明する。
まず、本発明の一実施形態における就職活動情報管理支援サーバを含む就職活動情報管理支援システムの概要について説明する。図１は、本実施形態における就職活動情報管理支援サーバを含む就職活動情報管理支援システムの概要を示す図である。
【００２２】
図１において、１は、就職活動情報管理支援サーバであり、ネットワーク３を介して就職情報や各種手続き（会社説明会の申込みなど）を仲介する会員登録制の就職情報サイトを提供する機能（既存の機能）に加えて、会員である学生の就職活動に関する情報を当該学生の所属する教育機関（大学や専門学校）の端末（図１の利用者端末６）に提供する機能（特徴となる機能）を有する。このように既存のシステム（機能）を利用することで、上記特徴となる機能を、より安価に実現することができる。
【００２３】
ここで、本実施形態における就職活動情報管理支援サーバ１が提供する会員登録制の就職情報サイトの機能（既存の機能）例について説明する。本就職情報サイトでは、学生が登録を行うと、各学生にログイン用のユーザＩＤとパスワードを付与する。学生は、登録以後、ログイン画面にて付与されたユーザＩＤとパスワードを入力することで、就職情報サイトにおける種々のサービスを受けることが出来る。例えば、各企業の採用情報を閲覧することができる。また、各企業に対して資料請求を行ったり、各企業の会社説明会への参加を申し込んだりすることができる。また、企業によっては、採用試験や面接の申込みを就職情報サイトで受け付けるサービスや、合格通知を就職情報サイトで行うサービスを利用することもある。尚、就職活動情報管理支援サーバ１において、上記サービスを提供するための詳細な仕組みについては、既存のものであり、本実施形態の特徴の本質となる部分では無いので説明を省略する。
【００２４】
また、就職活動情報管理支援サーバ１は、上記既存の機能及び特徴となる機能を実現するために必要な情報を格納するデータベース２を備える。データベース２は、学生に関する情報（当該学生の就職希望や就職活動の情報を含む）である学生情報を格納する学生情報ＤＢ（データベース）・２ａと、各企業などにおける学生の採用に関する情報である採用情報を格納する採用情報ＤＢ（データベース）・２ｂと、自校の学生の就職活動に関する情報を要求する学校に関する情報である学校情報を格納する学校情報ＤＢ（データベース）・２ｃとを備える。また、ネットワーク３は、例えばインターネットなどの通信網である。
【００２５】
４は、学生が利用する利用者端末であり、例えばネットワーク３に接続可能なコンピュータ端末である。学生はこの利用者端末４を利用して、就職活動情報管理支援サーバ１が提供する就職情報サイトにアクセスする。尚、以下の記載において、単に「就職情報サイト」と記載している場合は、就職活動情報管理支援サーバ１が提供する就職情報サイトであるとする。
【００２６】
５は、各企業の採用担当者が利用する利用者端末であり、例えばネットワーク３に接続可能なコンピュータ端末である。各企業の採用担当者が、この利用者端末５を利用して、就職活動情報管理支援サーバ１に採用情報の登録を行う。尚、本実施形態の就職活動情報管理支援サーバ１が提供する就職情報サイトは、上述したように、企業の会社説明会の参加申込みの受け付けや、採用試験の申込みの受け付け、などの機能を有し、企業の採用担当者は、この機能を利用することができる。また、学生が採用情報の配信を希望する旨を企業に伝える（＝エントリーする）ことで、当該企業から会社説明会の開催に関する情報や採用情報を任意のタイミングでエントリーした学生に配信することもできる。
【００２７】
６は、大学などの学校の就職担当者が利用する利用者端末であり、例えばネットワーク３に接続可能なコンピュータ端末である。各学校の就職担当者が、この利用者端末６を利用して、就職活動情報管理支援サーバ１に対して自校の学生の就職活動状況に関する情報を要求し、要求に応じた情報をネットワーク３経由で受信する。ここで就職活動状況に関する情報とは、例えば、自校の学生の会社訪問数の推移と全国の学生の会社訪問数の推移を比較する情報や、自校の学生の内定率の推移と全国の学生の内定率の推移を比較する情報などである。このように、自校の学生の就職活動状況を把握しやすいよう、他の学生との比較情報を提供する。
【００２８】
以上の構成に示したように、本実施形態の就職活動情報管理支援サーバ１は、既存の就職情報サイトで収集可能な情報を利用して、学校側に自校学生の就職活動状況に関する情報を提供することができる。また、内定に関する情報や、採用試験の受験状況や面接試験の受験状況に関する情報などについては、現在の就職情報サイトでは十分に収集できる環境とは言えない。そこで、それらの情報を学生が入力することで、「ポイントが貯まる」や、「賞品が貰える」などの特典をつける、就職活動に有益な情報を提供する、就職活動に必要で煩雑な作業を代行するなどの特別サービスを提供することで、上記情報を積極的に学生が入力してくれるような環境を構築することも必要である。
【００２９】
次に、図１に示した就職活動情報管理支援サーバ１の機能構成について説明する。
図２は、図１に示した就職活動情報管理支援サーバ１の機能構成を示すブロック図である。尚、図２において、図１に示した利用者端末４、５、６は、省略している。１１は、制御部であり、就職活動情報管理支援サーバ１内のデータの流れや、各部の制御を行う。データベース２は、上述した学生情報ＤＢ・２ａ、採用情報ＤＢ・２ｂ、学校情報ＤＢ・２ｃとを備え、それら各ＤＢの詳細なデータ構成例について以下に示す。
【００３０】
まず、図１及び図２に示した学生情報ＤＢ・２ａの詳細なデータ構成例について説明する。図３Ａは、図１及び図２に示した学生情報ＤＢ・２ａの詳細なデータ構成例を示す図である。図３Ａに示すように、学生情報ＤＢ・２ａは、各学生を識別する「ユーザＩＤ」に関連付けて以下の情報を格納する。「氏名」は、「ユーザＩＤ」で特定される学生の氏名である。「学校名」は、「ユーザＩＤ」で特定される学生の所属する学校の名前である。「専攻」は、「ユーザＩＤ」で特定される学生が所属する学部や学科の名前である。
【００３１】
「希望業種」は、「ユーザＩＤ」で特定される学生が就職を希望する業種に関する情報である。「希望職種」は、「ユーザＩＤ」で特定される学生が就職を希望する職種に関する情報である。「勤務希望地」は、「ユーザＩＤ」で特定される学生が就職を希望する勤務地に関する情報である。「企業名」は、「ユーザＩＤ」で特定される学生が就職を希望する企業名に関する情報である。
【００３２】
「各種受験予定」は、「ユーザＩＤ」で特定される学生が公務員試験や教員試験など就職に影響しそうな試験を受験する予定があるか否かに関する情報である。「保有資格」は、「ユーザＩＤ」で特定される学生が有する就職に影響しそうな資格に関する情報である。「経験」は、「ユーザＩＤ」で特定される学生が有する就職に影響しそうな経験に関する情報である。ここで、就職に影響しそうな経験とは、部活動（体育会系か否か）、ボランティア活動、ゼミの幹事、インターンシップ等である。
【００３３】
「活動内容情報」は、「ユーザＩＤ」で特定される学生の就職活動に関する情報である。「活動結果情報」は、「ユーザＩＤ」で特定される学生の就職活動の結果に関する情報である。ここで、「活動内容情報」及び「活動結果情報」の具体例について図３Ｂを用いて説明する。図３Ｂは、図３Ａに示した「活動内容情報」及び「活動結果情報」のデータ構成例を示す図である。図３Ｂに示すように、「活動内容情報」及び「活動結果情報」のデータ構成内容３１は、以下の情報を含む。
【００３４】
まず、「活動内容情報」のデータ構成例について説明する。
「サイトへのエントリー情報」は、「ユーザＩＤ」で特定される学生が就職活動支援サーバ１の提供する就職情報サイトに登録した日時やパスワードに関する情報である。「サイトの利用回数」は、「ユーザＩＤ」で特定される学生が就職情報サイトにログインした回数を示す情報である。「企業へのエントリー数」は、「ユーザＩＤ」で特定される学生が就職情報サイトにおいて採用情報を希望する企業へその旨を登録した数を示す情報である。尚、「企業へのエントリー数」の替わりに、会社説明会への参加を申し込んだ企業数に関する情報や、就職情報サイトで資料請求をした企業数に関する情報などでもよい。
【００３５】
「会社説明会予約数」は、「ユーザＩＤ」で特定される学生が就職情報サイトにおいて会社説明会への参加を申し込んだ数に関する情報である。「選考試験予約数」は、「ユーザＩＤ」で特定される学生が就職情報サイトにおいて選考試験（筆記試験）への参加を申し込んだ数に関する情報である。「面接予約数」は、「ユーザＩＤ」で特定される学生が就職情報サイトにおいて面接試験への参加を申し込んだ数に関する情報である。
【００３６】
次に、「活動結果情報」のデータ構成例について説明する。
「会社説明会参加履歴」は、「ユーザＩＤ」で特定される学生が就職情報サイトで申し込んだ会社説明会へ参加した履歴に関する情報である。具体的には、会社説明会へ参加した企業数に関する情報や、各会社説明会の開催日時などに関する情報である。「選考試験参加履歴」は、「ユーザＩＤ」で特定される学生が就職情報サイトで申し込んだ選考試験を受験した履歴に関する情報である。「面接参加履歴」は、「ユーザＩＤ」で特定される学生が就職情報サイトで申し込んだ面接試験を受験した履歴に関する情報である。
【００３７】
「内定獲得履歴」は、「ユーザＩＤ」で特定される学生が就職情報サイトの企業から内定を獲得した履歴に関する情報である。「就職先企業情報」とは、「ユーザＩＤ」で特定される学生が、内定を貰った企業の中から最終的に就職先として選んだ企業に関する情報である。
【００３８】
尚、本実施形態の「活動内容情報」及び「活動結果情報」では面接と選考試験（筆記試験）の参加申し込み数を分けて管理しているが、例えば、一次試験（面接、選考試験を含む各企業における最初の採用試験）という概念で管理してもよい。また、一次試験の前に書類選考がある場合も考えられるので、書類選考に対する申込み数に関する情報を更に追加してもよい。
【００３９】
また、本実施形態では、就職情報サイトに登録した企業の会社説明会及び選考試験への予約や参加履歴、当該企業からの内定に関する情報等を「活動内容情報」や「活動結果情報」として格納しているが、この限りではない。すなわち、就職情報サイトに登録していない企業に対する「活動結果情報」や「活動結果情報」を学生が登録できるようにして、それらの情報も学生情報ＤＢ・２ａが格納するようにしてもよい。
【００４０】
「利用制限情報」は、「ユーザＩＤ」で特定される学生が就職情報サイトに登録した自身のデータに対して、利用制限を設定した場合の利用制限情報である。本実施形態では、例えばレベル１〜レベル３、及び制限なしの４段階の利用制限を設定できる。具体的には、学生は、自身の学校に対してどこまで自分の情報を開示するか、その開示レベルを設定できる。制限なしだと、学生情報ＤＢ・２ａに格納している情報の殆んどを学校側の利用者端末６から閲覧可能である。例えば、レベル１で、学生個人を特定可能な情報を制限（学校側で閲覧できない、かつ、情報検索処理部１７の検索対象としない）し、レベル２で、更に企業名や勤務地に関する情報を制限し、レベル３で、更に活動結果情報を制限する。このような利用制限情報を設けることで、個人情報の保護を実現する。
【００４１】
尚、本実施形態においては、利用制限情報としてレベル１〜レベル３又は制限なしを設定する例を示したが、この限りではなく、例えば、学生情報ＤＢ・２ａに格納している各情報に対して学生側で開示／非開示を設定するようにしてもよい。
【００４２】
次に、図１及び図２に示した採用情報ＤＢ・２ｂの詳細なデータ構成例について説明する。図３Ｃは、図１及び図２に示した採用情報ＤＢ・２ｂの詳細なデータ構成例を示す図である。図３Ｃに示すように、採用情報ＤＢ・２ｂは、各企業を識別する「企業ＩＤ」に関連付けて以下の情報を格納する。
【００４３】
「企業名」は、「企業ＩＤ」で特定される企業の名称である。「業種」は、「企業ＩＤ」で特定される企業が属する業種を特定する情報である。「採用要領」は、「企業ＩＤ」で特定される企業の採用に関する情報であり、職種や仕事の内容に関する情報である「勤務内容」、「勤務地」、「勤務条件」、及び「採用予定数」等の情報を含む。
【００４４】
「イベント情報」は、「企業ＩＤ」で特定される企業の「会社説明会情報」、「採用試験情報」が含まれる。「会社説明会情報」には、会社説明会の開催予定に関する情報である「開催予定情報」と、会社説明会の開催履歴に関する情報である「開催履歴情報」が含まれる。また、「採用試験情報」には、採用試験の内容及び開催予定に関する情報である「開催予定情報」と、採用試験の開催履歴に関する情報である「開催履歴情報」が含まれる。「採用結果情報」は、「企業ＩＤ」で特定される企業の採用結果に関する情報が含まれる。採用結果に関する情報とは、採用予定数に対する内定数の比率などの情報である。
【００４５】
次に、図１及び図２に示した学校情報ＤＢ・２ｃの詳細なデータ構成例について説明する。図３Ｄは、図１及び図２に示した学校情報ＤＢ・２ｃの詳細なデータ構成例を示す図である。図３Ｄに示すように、学校情報ＤＢ・２ｃは、各学校を識別する「学校ＩＤ」に関連付けて以下の情報を格納する。
【００４６】
「学校名」は、「学校ＩＤ」で特定される学校の名称である。「学部・学科構成情報」は、「学校ＩＤ」で特定される学校が備える学部及び学科に関する情報である。「要求設定情報」は、「学校ＩＤ」で特定される学校の利用者端末６が、自校の学生の就職活動情報として要求する定型の情報（例えば、自校学生と全国の学生との内定率の比較情報）を特定する情報である「要求内容」と、「要求内容」で要求した情報を生成して欲しいタイミングの情報である「情報生成タイミング」とを含む情報であり、学校側で設定する情報である。但し、「要求設定情報」は、学校側で必ずしも設定しなくても良い情報である。すなわち、「要求設定情報」は、就職活動支援サーバ１において、「情報生成タイミング」のタイミングで「要求内容」に応じた学生の就職活動状況を示す情報を生成するための情報であり、この機能を利用しない学校であれば必要の無い情報である。
【００４７】
「要求履歴情報」は、「学校ＩＤ」で特定される学校の利用者端末６が、過去に就職活動支援サーバ１に対して要求した学生の就職活動状況を示す情報の内容や要求日時に関する情報である。この「要求履歴情報」には、上記「要求設定情報」に応じて就職活動支援サーバ１が生成した情報に関する履歴を含めてもよい。
【００４８】
「昨年の学生就職活動情報」とは、「学校ＩＤ」で特定される学校の昨年度の卒業生の就職活動状況に関する情報である。この「昨年の学生就職活動情報」を利用することで、就職活動情報管理支援サーバ１は、例えば、昨年度の卒業生の内定率の推移と、本年度の学生の内定率の推移を比較することが可能となる。
【００４９】
以上で、データベース２に格納される各ＤＢのデータ構成例に関する説明を終え、図２の説明に戻る。
学生情報登録部１２は、学生が操作する利用者端末４から就職情報サイトに対する学生情報の登録を受け付けて、学生情報ＤＢ・２ａに格納する処理を行う。ここで、学生情報とは、図３Ａに示したユーザＩＤに関連付けられた各種情報である。具体的には、学生情報登録部１２は、利用者端末４から就職情報サイトにユーザ登録（初期登録）する場合には、利用者端末４に表示されるユーザ登録画面を提供する。このユーザ登録画面は、ユーザ登録に必要な情報（図３Ａの氏名、学校名、選考、…、経験など）をユーザが入力できる画面である。ユーザ登録することにより、学生は、就職情報サイトにログインして、就職情報サイトが提供する種々のサービスを利用することができる。また、学生情報登録部１２は、就職情報サイトにログイン中の学生が就職活動の活動内容や活動結果に関する情報を登録するための活動状況登録画面も利用者端末４へ提供する機能を有する。
【００５０】
企業情報登録部１３は、企業の採用担当者が操作する利用者端末５から就職情報サイトに対する企業の採用情報の登録を受け付けて、企業情報ＤＢ・２ｂに格納する処理を行う。ここで、企業情報とは、図３Ｃに示した企業ＩＤに関連付けられた各種情報である。具体的には、企業情報登録部１３は、利用者端末５から就職情報サイトに採用情報を登録する場合には、利用者端末５にて表示される採用情報登録画面を提供する。この採用情報登録画面は、就職情報サイトに必要な情報（図３Ｃの企業名、業種、採用要領、イベント情報など）を採用担当者が入力できる画面である。また、登録された企業は、利用者端末５による就職情報サイトへのログイン後に設定画面を表示して、学生のエントリー（当該企業の採用情報が欲しいという旨を登録すること）を受け付けるサービスや、会社説明会の開催案内を提示するサービスや、会社説明会の参加申し込み受け付けサービスなど、就職情報サイトの種々の機能を利用する設定を行うことができる。
【００５１】
学校情報登録部１４は、学校の就職担当者が操作する利用者端末６から就職情報サイトに対する学校情報の登録を受け付けて、学校情報ＤＢ・２ｃに格納する処理を行う。ここで、学校情報とは、図３Ｄに示した学校ＩＤに関連付けられた各種情報である。具体的には、学校情報登録部１４は、利用者端末６から就職情報サイトに学校情報を登録する場合には、利用者端末６にて表示される学校情報登録画面を提供する。この学校情報登録画面は、就職活動支援サーバ１から自校の学生の就職活動状況の情報を得るサービスを受けるために必要な情報（図３Ｄの学校名、学部・学科構成情報、要求設定情報など）を就職担当者が入力できる画面である。登録された学校は、利用者端末６からの就職情報サイトへのログイン後に、後述する情報要求受付画面を表示して、自校の学生の就職活動状況の情報を得るサービスを利用するための設定入力等を行うことができる。
【００５２】
ログイン処理部１５は、ネットワーク３を介して利用者端末４、５、６からのアクセス要求に応じて、ログイン画面を表示させて、ログイン画面への入力情報に応じて、ログイン可能か否かを判断する。
【００５３】
情報要求受付部１６は、学校の就職担当者が利用する利用者端末６において自校の学生の就職活動状況の情報を得るサービスを利用するための設定入力を行うための情報要求受付画面を利用者端末６に表示させ、情報要求を受け付ける処理を行う。図４は、利用者端末６に表示される情報要求受付画面例を示す図である。
【００５４】
図４の情報要求受付画面４１は、「１．志向」、「２．活動内容」、「３．専攻」、「４．属性」、「５．時系列」の５種類のカテゴリーに分類された各要素から異なるカテゴリーから２つ以上の要素を就職担当者が指定（選択）することで、所望の情報を指定するというユーザインタフェース例を示している。また、これらの要素は、図３Ａ、図３Ｂに示した学生情報ＤＢ・２ａに含まれる要素（情報）と同じであり、各要素の説明は省略する。これは、学生情報ＤＢ・２ａに格納されていない情報を情報要求受付画面４１において指定しても無駄だからである。尚、「２．活動内容」のカテゴリーにおいては、異なるカテゴリーの要素ではなく、同一カテゴリー内の要素と組合せることが可能である。
【００５５】
図４に示すように、「１．志向」の列４２には、“志望業種”、“志望職種”、“勤務希望地”、“教職受験予定”、“公務員試験受験予定”、“保有資格”、“経験”、“選択しない”という８種類の要素が含まれている。また、「２．活動内容」の列４３には、“サイトへのエントリー”、“サイトの利用回数”、“企業へのエントリー数”、“会社説明会予約数”、“会社説明会参加数”、“選考試験予約数”、“選考試験参加数”、“面接予約数”、“面接参加数”、“内定獲得数”、“就職先企業情報”、“選択しない”という１２種類の要素が含まれている。
【００５６】
また、「３．専攻」の列４４には、“文系理系”、“専攻”、“全学部全学科”の３種類の要素が含まれている。尚、“専攻”の要素には、例えば“法学系”、“経済学系”、“文学系”、“教育系”、“機械系”、“電気系”、“化学系”、“建築・土木系”、“物理・数学系”、“生物系”、“地学系”などの更に詳細な選択肢を含んでもよい。また、「４．属性」の列４５には、“自校”、“地域”、“全国”の３種類の要素が含まれている。この列４５の要素は、比較対照を指定する。「５．時系列」の列４６は、“現在”、“○月○日〜△月△日までの”の２種類の要素が含まれている。ＯＫボタン４７は、複数の要素を選択後に、押下するボタンである。このＯＫボタン４７の押下により、選択された要素の組み合わせに応じた情報要求が就職活動情報管理支援サーバ１に送信される。
【００５７】
具体例を示すと、「志望業種別のサイトへのエントリー時期（全国／自校  別）」という自校学生の就職活動状況に関する情報が欲しい場合には、列４２の“志望業種”と列４３の“サイトへのエントリー”の２つの要素を選択すればよい。また、列４５の選択はデフォルトで“自校”及び“全国”が選択されており、ここでＯＫボタン４７を押下することにより、全国の学生と、自校の学生の志望業種別のサイトへのエントリー時期の分布を示すデータを要求する情報要求が就職活動情報管理支援サーバ１に送信される。
【００５８】
その他にも、利用者端末６から就職活動情報管理支援サーバ１が受信する情報要求の内容例として、「志望職種別の企業説明会参加数」、「会社説明会参加数（全国／自校／時系列  別）」、「会社説明会参加数別の内定獲得数」、「勤務希望地別内定獲得数」、「内定獲得数（専攻／全国／自校／時系列  別）」、「保有資格別内定獲得数」、「文系理系別会社説明会参加数」などが代表的なものとして挙げられる。
【００５９】
情報検索処理部１７は、情報要求受付部１６が受け付けた情報要求に応じた情報を、学生情報ＤＢ・２ａ、採用情報ＤＢ・２ｂ、及び学校情報ＤＢ・２ｃから検索する処理を行う。尚、列４５で“自校”の要素が選択されている場合には、学生情報ＤＢ・２ａ内の学生情報の内、ログイン中の学校ＩＤで特定される学校に所属する学生の学生情報のみを検索対象とする。具体的には、情報検索処理部１７は、情報要求受付部１６が受け付けた情報要求に含まれる情報要求受付画面４１で選択された要素に応じた情報を検索する。
【００６０】
例えば、全国の学生と自校の学生の会社説明会の参加数の推移に関する情報を要求する情報要求（以下、第１の情報要求例とする）である場合には、情報要求受付画面４１において、列４３の“会社説明会参加数”と、列４５の“自校”及び“全国”が選択されて、情報要求に要素として含まれている。（尚、列４６で期間が指定される場合もある。）そこで、情報検索処理部１７は、“自校”の学生の“会社説明会参加数”を求めるために必要な情報として、ログイン中の学校ＩＤで特定される学校に所属する学生（以下、Ａ大学の学生とする）の「会社説明会参加履歴」を検索する。また、情報検索処理部１７は、“全国”の学生の“会社説明会参加数”を求めるために必要な情報として、学生情報ＤＢ・２ａ内の全学生（以下、全国の学生とする）の「会社説明会参加履歴」を検索する。
【００６１】
検索情報処理部１８は、情報検索処理部１７が出力する検索結果を基に、情報要求に応じた所定の情報形態を生成するよう処理を行う。具体的には、検索情報処理部１８は、情報検索処理部１７が出力する検索結果の演算や、演算結果のグラフ化などの処理を行う。また、所定の情報形態とは、情報要求受付部１６が受け付けた情報要求に応じて、検索情報処理部１８がどのような情報を生成するのかが定まっている。例えば、第１の情報要求例の場合には全国の学生と自校の学生の会社説明会の参加数の推移を比較するグラフと、比較に応じたコメントとを含む情報形態が定まっており、検索情報処理部１８はそれらを生成する。
【００６２】
ここで、上記の第１の情報要求例に応じた情報検索処理部１７の処理に続く処理として、検索情報処理部１８の処理の具体例を示す。
【００６３】
検索情報処理部１８は、情報検索処理部１７が検索したＡ大学の学生の「会社説明会参加履歴」を基に、現時点までのＡ大学の学生の会社説明会参加数の推移を計算する。更に、検索情報処理部１８は、情報検索処理部１７が検索した全学生の「会社説明会参加履歴」を基に、現時点までの全国の学生の会社説明会参加数の推移を計算する。また、検索情報処理部１８は、計算したＡ大学の学生の会社説明会参加数の推移と、全国の学生の会社説明会参加数の推移とを１つのグラフにまとめて、グラフのイメージデータを出力する。更に、検索情報処理部１８は、計算したＡ大学の学生の会社説明会参加数の推移と、全国の学生の会社説明会参加数の推移のピーク時期を比較することで、定型文によるコメント（例えば、「貴校の学生の活動開始は他校と比べて出遅れていると思われます。」）を出力する処理を行う。
【００６４】
結果表示処理部１９は、検索情報処理部１８が生成した所定の情報形態となるデータを基に、情報要求元の利用者端末６に表示可能な表示データを生成して、送受信処理部２１及びネットワーク３を介して利用者端末６へ送信する。これにより、例えば図５Ａに示す就職活動状況画面５１が利用者端末６に表示される。図５Ａは、結果表示処理部１９が利用者端末６に表示させる就職活動状況画面例を示す図である。図５Ａに示すように、就職活動状況画面５１は、検索情報処理部１８が生成した、Ａ大学の学生の会社説明会参加数の推移（折れ線５４）及び全国の学生の会社説明会参加数の推移（折れ線５３）とを示すグラフ５２と、コメント５５を含む構成である。
【００６５】
以上に説明したように、就職活動情報管理支援サーバ１は、学校側の利用者端末６からの第１の情報要求例に応じて、図５Ａに示す就職活動状況画面５１を提供することができる。このように、就職活動情報管理支援サーバ１は、学校側の要求に応じて、自校の学生の就職活動状況を示す情報を提供することができる。これにより、学校側では、自校の学生の就職活動状況を適切に把握して、適切な就職指導を行うことができる。
【００６６】
また、就職活動情報管理支援サーバ１が学校側の利用者端末６に表示させる就職活動状況画面の他の例を図５Ｂに示す。図５Ｂは、就職活動情報管理支援サーバ１が学校側の利用者端末６に表示させる就職活動状況画面の他の例を示す図である。図５Ｂに示す就職活動状況画面６１は、現在の業種別の内定率を示す画面である。具体的には、大手ＩＴ業界（例えば、資本金○億円以上のＩＴ企業）の全採用枠に対する内定が決まっている率である内定率を示す横棒グラフ６２と、Ａ大学の学生の内、ＩＴ業界を希望している学生の内定率を示す横棒グラフ６３とが比較できるように上下に並べて配置されている。同様に、化学業界についても業界に属する企業の内定率を示す横棒グラフ６４と、Ａ大学の学生の内、化学業界を希望してる学生の内定率を示す横棒グラフ６５とが上下に並べて配置されている。
【００６７】
尚、図５Ｂに示す就職活動状況画面６１は、図４の情報要求受付画面４１において、例えば、列４２の“志望業種”と列４３の“内定獲得数”が指定された場合の情報要求に応じて作成される。また、各業界における内定率の算出のため、情報検索処理部１７が、採用情報ＤＢ・２ｂから特定の業界の採用予定情報や採用結果情報を検索する。
【００６８】
情報保護処理部２０は、図３Ａに示した学生情報ＤＢ・２ａに格納する「利用制限情報」を参照して、情報検索処理部１７が学生情報ＤＢ・２ａから情報を検索する際、又は、検索情報処理部１８が生成したデータを結果表示処理部１９で利用する際に検索対象の制限や結果表示してよいデータの制限を行う。例えば、図３Ａに示した「利用制限情報」でレベル１（学生個人が特定できる情報を学校側に開示しない）が設定されていれば、例えば、その学校で特定の資格Ａを保有している学生が一人しかいない場合に、学校側が資格に関連する就職活動状況の情報を求めても、資格Ａに関連する就職活動状況の情報を含まない（開示しない）ように、就職活動状況画面を利用者端末６に表示する。具体的には、情報保護処理部２０は、情報検索処理部１７の検索結果により資格Ａを保有している学生が一人であり、かつ、その学生の「利用制限情報」がレベル１で有る場合には、検索情報処理部１８の処理対象である情報検索処理部１７の検索結果から、資格Ａを保有している学生に関する情報を削除する処理を行う。
【００６９】
送受信処理部２１は、ネットワーク３を介して利用者端末４、５、６と通信を行うためのものである。
【００７０】
次に、図２に示した就職活動情報管理支援サーバ１の就職活動状況の情報提供サービスの動作について説明する。図６は、図２に示した就職活動情報管理支援サーバ１の就職活動状況の情報提供サービスの動作を示すフロー図である。図６に示すように、ステップＳ１において、ログイン処理部１５は、例えばＡ大学の利用者端末６から、ネットワーク３及び送受信処理部２１を介してログイン要求を受信する。
【００７１】
次に、ステップＳ２において、ログイン処理部１５は、受信したログイン要求に対してログインを許可するか否かを判断する。ここで、ログインを許可する場合には、ステップＳ３において、情報要求受付部１６は、図４に示したような情報要求受付画面４１を利用者端末６に表示する。ここで、利用者端末６の利用者（就職担当者）は、所望の就職活動状況の情報が得られるように情報要求受付画面４１の中の複数の要素を選択して、ＯＫボタン４７を押下する。これにより、利用者端末６は、情報要求受付画面４１での選択に応じた情報要求を就職活動情報管理支援サーバ１へ送信する。
【００７２】
次に、ステップＳ４において、情報要求受付部１６は、ネットワーク３及び送受信処理部２１を介してＡ大学の利用者端末６から情報要求を受信したか否かを判断する。ここで、情報要求を受信したと判断した場合には、ステップＳ５において情報検索処理部１７は、情報要求受付部１６が受信した情報要求に応じた情報の検索をデータベース２に対して行う。
【００７３】
次に、ステップＳ６において、検索情報処理部１８は、ステップＳ５における検索結果を基に、情報要求受付部１６が受信した情報要求に応じたデータを生成する。次に、ステップＳ７において、結果表示処理部１９は、ステップＳ６において生成されたデータを基に、例えば、利用者端末６において図５Ａや図５Ｂに示したような就職活動状況画面を表示するための情報を生成して、情報要求元の利用者端末６へ送受信処理部２１及びネットワーク３経由で送信する。以上の処理により、利用者端末６には、情報要求受付画面４１で指定した情報要求に応じた就職活動状況画面が表示される。
【００７４】
以上に説明したように、本実施形態の就職活動情報管理支援サーバ１によれば、学校（教育機関）が自校の学生の就職活動状況を把握するためのサービスを、ネットワーク３を介して学校側の利用者端末６へ提供することができる。この時、就職活動情報管理支援サーバ１は、他校や全国の学生の就職活動状況と比較した情報を提供することができる。これにより、学校側では、自校の学生の就職活動状況を他校の学生と比較した相対的な観点で把握することができる。また、学生の就職活動状況を適切に把握できることで、適切な就職指導につなげることが可能となる。
【００７５】
尚、図６の処理を開始する前の任意のタイミングで、学生情報登録部１２、企業情報登録部１３、及び学校情報登録部１４によるデータベース２への情報登録処理が行われているとする。
【００７６】
また、上述した実施形態では、採用情報の登録者として、企業の採用担当者が利用者端末５から採用情報を就職活動情報管理支援サーバ１に登録したが、この限りではなく、公的機関などの企業以外の法人が、採用情報を登録してもよい。また、上述した実施形態の学校として、大学を例に示したが、この限りではなく、専門学校、高等学校、中学校等、就職する学生が在籍する教育機関であればよい。
【００７７】
また、上述した実施形態では、学校の利用者端末６からの要求に応じて就職活動情報管理支援サーバ１が学生の就職活動状況に関する情報を生成し、提供したが、この限りではない。例えば、予め学校の方で欲しい情報が決まっていれば、就職活動情報管理支援サーバ１内で任意のタイミングでその情報を生成して学校情報ＤＢ・２ｃに格納しておくことで、学校の利用者端末６からの要求が有った場合には、学校情報ＤＢ・２ｃに格納している情報を提供するという形態でもよい。
【００７８】
また、上述した実施形態において、図２に示した就職活動情報管理支援サーバ１の各処理部は、ハードウェアとしてはメモリ及びＣＰＵ（中央演算装置）により構成され、各処理部の機能を実現する為のプログラムをメモリに読み込んでＣＰＵが実行することによりその機能を実現させるものである。また、これに限定されるものではなく、各処理部の一部の処理又は全部の処理を専用のハードウェアにより実現されるものであってもよい。
【００７９】
また、上記メモリは、ハードディスク装置や光磁気ディスク装置、フラッシュメモリ等の不揮発性のメモリや、ＣＤ−ＲＯＭ等の読み出しのみが可能な記録媒体、ＲＡＭ（Ｒａｎｄｏｍ  Ａｃｃｅｓｓ  Ｍｅｍｏｒｙ）のような揮発性のメモリ、あるいはこれらの組合せによるコンピュータ読み取り、書き込み可能な記録媒体より構成されるものとする。
【００８０】
また、図２に示した就職活動情報管理支援サーバ１の各処理部は、上述したようにコンピュータがプログラムを実行することによって実現する。そのプログラムをコンピュータに供給するための手段、例えばかかるプログラムを記録したコンピュータ読み取り可能な記録媒体又はかかるプログラムを伝送する伝送媒体も本発明の実施形態として適用することができる。また、上記のプログラムを記録したコンピュータ読み取り可能な記録媒体等のプログラムプロダクトも本発明の実施形態として適用することができる。上記のプログラム、記録媒体、伝送媒体及びプログラムプロダクトは、本発明の範疇に含まれる。
【００８１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発メモリ（ＲＡＭ）のように、一定時間プログラムを保持しているものも含むものとする。
【００８２】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００８３】
また、上記プログラムは、前述した機能の一部を実現する為のものであっても良い。さらに、前述した機能をコンピュータシステムに既に記録されているプログラムとの組み合わせで実現できるもの、いわゆる差分ファイル（差分プログラム）であっても良い。
【００８４】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００８５】
【図１】本実施形態における就職活動情報管理支援サーバを含む就職活動情報管理支援システムの概要を示す図である。
【図２】図１に示した就職活動情報管理支援サーバ１の機能構成を示すブロック図である。
【図３Ａ】図１及び図２に示した学生情報ＤＢ・２ａの詳細なデータ構成例を示す図である。
【図３Ｂ】図３Ａに示した「活動内容情報」及び「活動結果情報」のデータ構成例を示す図である。
【図３Ｃ】図１及び図２に示した採用情報ＤＢ・２ｂの詳細なデータ構成例を示す図である。
【図３Ｄ】図１及び図２に示した学校情報ＤＢ・２ｃの詳細なデータ構成例を示す図である。
【図４】利用者端末６に表示される情報要求受付画面例を示す図である。
【図５Ａ】結果表示処理部１９が利用者端末６に表示させる就職活動状況画面例を示す図である。
【図５Ｂ】就職活動情報管理支援サーバ１が学校側の利用者端末６に表示させる就職活動状況画面の他の例を示す図である。
【図６】図２に示した就職活動情報管理支援サーバ１の就職活動状況の情報提供サービスの動作を示すフロー図である。
【符号の説明】
【００８６】
１          就職活動情報管理支援サーバ
２          データベース
２ａ        学生情報データベース
２ｂ        採用情報データベース
２ｃ        学校情報データベース
３          ネットワーク
４、５、６  利用者端末
１１        制御部
１２        学生情報登録部
１３        企業情報登録部
１４        学校情報登録部
１５        ログイン処理部
１６        情報要求受付部
１７        情報検索処理部
１８        検索情報処理部
１９        結果表示処理部
２０        情報保護処理部
２１        送受信処理部
【図１】
2006344148.tif 000003
【図２】
2006344148.tif 000004
【図３Ａ】
2006344148.tif 000005
【図３Ｂ】
2006344148.tif 000006
【図３Ｃ】
2006344148.tif 000007
【図３Ｄ】
2006344148.tif 000008
【図４】
2006344148.tif 000009
【図５Ａ】
2006344148.tif 000010
【図５Ｂ】
2006344148.tif 000011
【図６】
2006344148.tif 000012